(57)【要約】【課題】厚みを小さくしても、金属体に接触した状態で通信特性に優れる非接触型データ受送信体を提供する。【解決手段】本発明の非接触型データ受送信体１０は、ＩＣチップ２２およびＩＣチップ２２に接続された第１アンテナ２３を有するインレット２０と、第１アンテナ２３と非接触で電磁結合するブースター用の第２アンテナ３１を有するアンテナ部３０と、インレット２０およびアンテナ部３０を支持する高誘電材４０と、高誘電材４０におけるインレット２０およびアンテナ部３０を支持する側とは反対側に積層された金属材５０と、を備え、第１アンテナ２３と第２アンテナ３１が高誘電材４０の一方の面４０ａ上において、同一面上に配置される。【選択図】図１
2018055153.tif 000002
【特許請求の範囲】
【請求項１】
ＩＣチップおよび該ＩＣチップに接続された第１アンテナを有するインレットと、前記第１アンテナと非接触で電磁結合するブースター用の第２アンテナを有するアンテナ部と、前記インレットおよび前記アンテナ部を支持する高誘電材と、該高誘電材における前記インレットおよび前記アンテナ部を支持する側とは反対側に積層された金属材と、を備え、
前記第１アンテナと前記第２アンテナが前記高誘電材の一方の面上において、同一面上に配置されたことを特徴とする非接触型データ受送信体。
【発明の詳細な説明】
【技術分野】
【０００１】
本発明は、非接触型データ受送信体に関する。
【背景技術】
【０００２】
近年、流通管理、履歴管理、物品管理、その他の各種管理を効率的に行うべく、ＲＦＩＤ（Ｒａｄｉｏ  Ｆｒｅｑｕｅｎｃｙ  ＩＤｅｎｔｉｆｉｃａｔｉｏｎ）が様々な用途に用いられている。このＲＦＩＤは、ＲＦｖタグと呼ばれる電子機器と情報読出／書込装置（リーダ／ライタ）との間で電磁界や電波等を用いた近距離の無線通信を行うことで、ＲＦＩＤタグに対する情報の書き込みを非接触で行い、あるいはＲＦＩＤタグからの情報の読み出しを非接触で行うものである。
【０００３】
ＲＦＩＤタグは、金属体に近接すると通信性能が損なわれ、例えば、通信距離が短くなってしまう。このため、金属体に近接した状態で使用されるＲＦＩＤタグにおいて、通信距離をより長くするために、次のような構成のＲＦＩＤタグが知られている。
このようなＲＦＩＤタグとしては、例えば、金属体に接するように配置される誘電体シートと、その誘電体シート上に配置され、ＩＣチップおよびそのＩＣチップに接続された第１アンテナを有するインレットと、そのインレットを覆うようにモールドされた樹脂と、その樹脂上に配置され、第１アンテナと非接触で電磁結合するブースター用の第２アンテナとを備えたものが知られている（例えば、特許文献１参照）。
【先行技術文献】
【特許文献】
【０００４】
【特許文献１】特許第４８７８２６６号公報
【発明の概要】
【発明が解決しようとする課題】
【０００５】
上記のような構成のＲＦＩＤタグでは、厚みを小さくすると通信特性（例えば、通信距離）が劣化するという課題があった。
【０００６】
本発明は、上記事情に鑑みてなされたものであって、厚みを小さくしても、金属体に接触した状態で通信特性に優れる非接触型データ受送信体を提供することを目的とする。
【課題を解決するための手段】
【０００７】
本発明の非接触型データ受送信体は、ＩＣチップおよび該ＩＣチップに接続された第１アンテナを有するインレットと、前記第１アンテナと非接触で電磁結合するブースター用の第２アンテナを有するアンテナ部と、前記インレットおよび前記アンテナ部を支持する高誘電材と、該高誘電材における前記インレットおよび前記アンテナ部を支持する側とは反対側に積層された金属材と、を備え、前記第１アンテナと前記第２アンテナが前記高誘電材の一方の面上において、同一面上に配置されたことを特徴とする。
【発明の効果】
【０００８】
本発明によれば、厚みを小さくしても、金属体に接触した状態で通信特性に優れる非接触型データ受送信体を提供することができる。
【図面の簡単な説明】
【０００９】
【図１】本発明の実施形態による非接触型データ受送信体の要部構成を示す図であって、（ａ）は平面透視図であり、（ｂ）は（ａ）中のＡ−Ａ線に沿う断面矢視図である。
【図２】実験例１における非接触型データ受送信体の特性を示すグラフである。
【図３】実験例２における非接触型データ受送信体の特性を示すグラフである。
【発明を実施するための形態】
【００１０】
以下、図面を参照して本発明の実施形態による非接触型データ受送信体について詳細に説明する。尚、以下で説明する実施形態は、本発明の趣旨をより良く理解させるために具体的に説明するものであって、本発明を限定するものではない。また、以下で参照する図面においては、理解を容易にするために、必要に応じて各部材の寸法を適宜変えて図示している。
【００１１】
図１は、本発明の実施形態による非接触型データ受送信体の要部構成を示す図であって、（ａ）は平面透視図であり、（ｂ）は（ａ）中のＡ−Ａ線に沿う断面矢視図である。
図１に示す通り、本実施形態の非接触型データ受送信体１０は、インレット２０と、アンテナ部３０と、インレット２０およびアンテナ部３０を支持する高誘電材４０と、高誘電材４０におけるインレット２０およびアンテナ部３０を支持する側とは反対側に積層された金属材５０とから概略構成されている。すなわち、非接触型データ受送信体１０は、非接触型データ受送信体１０は、図１に示すように、インレット２０、アンテナ部３０、高誘電材４０および金属材５０からなる積層体６０を、この順に備えている。
【００１２】
また、非接触型データ受送信体１０は、図１に示すように、積層体６０の外周全体を被覆する樹脂からなる被覆材７０を備えていてもよい。なお、被覆材７０は、積層体６０を収容する収容部を有し、樹脂からなる筐体であってもよい。
【００１３】
非接触型データ受送信体１０では、インレット２０およびアンテナ部３０が、高誘電材４０の一方の面（上面）４０ａに配置されている。
【００１４】
インレット２０は、基材２１と、基材２１の一方の面２１ａに設けられたＩＣチップ２２およびＩＣチップ２２に電気的に接続された第１アンテナ２３とから概略構成されている。
【００１５】
基材２１としては、比誘電率が１〜１２である基材が好適に用いられ、４．８〜１２である基材がより好適に用いられる。また、基材２１の比誘電率は、非接触型データ受送信体１０に要求される通信特性（通信距離、周波数帯域）等に応じて適宜調整される。
また、基材２１には、後述するアンテナ部３０を構成する第２アンテナ３１が設けられる。そのため、基材２１は、平面視形状の外形が第２アンテナ３１とほぼ同一の形状をなしている。
【００１６】
このような基材２１としては、例えば、ポリエチレンテレフタレート（ＰＥＴ）からなる基材、ポリイミドからなる基材、ガラス繊維の布にエポキシ樹脂を染み込ませて熱硬化処理を施し板状にした基材（Ｆｌａｍｅ  Ｒｅｔａｒｄａｎｔ  Ｔｙｐｅ  ４、ＦＲ−４）等が挙げられる。ＦＲ−４としては、具体的には、パナソニック社製のＲ−１７００（商品名）等が挙げられる。
基材２１の厚みは、特に限定されず、非接触型データ受送信体１０に要求される通信特性（通信距離）等に応じて適宜調整される。基材２１の厚みは、例えば、５０μｍ〜２．２ｍｍであることが好ましく、一般流通量が多い１ｍｍ、１．６ｍｍがコスト的に最も好ましい。
【００１７】
本実施形態における比誘電率の測定方法は、ＩＥＣ６０２５０に規定された法が用いられる。
【００１８】
ＩＣチップ２２は、外部から非接触で第１アンテナ２３およびアンテナ部３０の第２アンテナ３１を介して供給される電力によって動作し、外部との間で第１アンテナ２３および第２アンテナ３１を介した無線通信を行って非接触状態でデータの書き込み及び読み出しを行う半導体集積回路である。このＩＣチップ２２としては、特に限定されず、第１アンテナ２３および第２アンテナ３１を介して非接触状態でデータの書き込みおよび読み出しが可能なものであれば、任意のものを用いることができる。
【００１９】
第１アンテナ２３は、ＩＣチップ２２に対して電気的に接続されるアンテナである。
図１に示す第１アンテナ２３は、平面視形状が四角環形状であるループ状のアンテナである。なお、図１においては、第１アンテナ２３が四角環形状のものを図示しているが、第１アンテナ２３の形状は、円環形状、楕円環形状、多角環形状、その他の任意の形状であってもよい。また、第１アンテナ２３は、二重ループ状のアンテナであってもよい。
第１アンテナ２３の厚みは、特に限定されないが、５０μｍ〜２．２ｍｍであることが好ましく、一般流通量が多い１ｍｍ、１．６ｍｍがコスト的に最も好ましい。
また、第１アンテナ２３の長さは、特に限定されないが、周波数９２０ＭＨｚの１／２波長、１／３波長、１／４波長に相当する長さが好ましく、３０ｍｍ〜９０ｍｍであることが好ましい。また、第１アンテナ２３の幅は、使用する部材の比誘電率に合せて調整することにより、非接触型データ受送信体１０の周波数特性を調整することができる。
【００２０】
第１アンテナ２３を構成する材料としては、例えば、公知のポリマー型導電インク、銀インク組成物等の導電性のインク、金属箔、電気メッキや静電メッキにより形成された金属薄膜、金属蒸着等の各種薄膜形成法により形成された金属薄膜、金属板等が挙げられる。
【００２１】
アンテナ部３０は、基材２１と、基材２１の一方の面２１ａに設けられた第２アンテナ３１とから概略構成されている。
アンテナ部３０の第２アンテナ３１は、第１アンテナ２３と非接触で電磁結合するブースター用のアンテナである。第２アンテナ３１は、第１アンテナ２３のみによって無線通信を行う場合よりも、通信距離を長くする（長距離通信を可能にする）ために設けられる。この第２アンテナ３１は、例えば、外形が板状または帯状をなす部材であり、インレット２０に設けられた第１アンテナ２３の近傍に配置され、第１アンテナ２３の外縁の少なくとも一部に沿うように設けられる。
【００２２】
なお、第２アンテナ３１が、第１アンテナ２３の外縁に沿うように設けられるとは、第１アンテナ２３と第２アンテナ３１との間で電気的な接続（電磁結合）が可能な位置に、両者が互いに配置されていることをいう。本実施形態において、第２アンテナ３１は、平面視形状が四角環形状であるループ状の第１アンテナ２３の３辺に沿うように設けられており、第１アンテナ２３に沿う部分の平面視形状はコ字状にされている。
【００２３】
より具体的に、第２アンテナ３１は、インレット２０（第１アンテナ２３）の外側に沿うように形成された中央部（インレット２０が配置される部分）３１Ａと、中央部３１Ａから高誘電材４０の長手方向の両端部まで延在する線状または帯状の放射部３１Ｂ，３１Ｂとからなるアンテナである。第２アンテナ３１の中央部３１Ａには切り欠きが形成されており、これにより、中央部３１Ａの平面視形状（中央部３１Ａの第１アンテナ２３に沿う部分の平面視形状）がコ字状にされている。
【００２４】
第２アンテナ３１の中央部３１Ａは、その内側に配されるインレット２０（第１アンテナ２３）とほぼ同一の形状に形成されていることが好ましい。また、インレット２０（第１アンテナ２３）は、第２アンテナ３１の中央部３１Ａと接触しないように設けられるが、両者の間の隙間ができる限り小さくなるように中央部３１Ａが形成され、かつ両者の間の隙間はできる限り小さくなるように中央部３１Ａ内にインレット２０（第１アンテナ２３）を配置することが好ましい。なお、第１アンテナ２３と第２アンテナ３１との間隔は、両者の間で電気的な接続（電磁結合）が可能な範囲であれば特に限定されない。
【００２５】
第２アンテナ３１は、ＲＦＩＤで使用されるＵＨＦ帯やマイクロ波帯の電波帯の周波数（３００ＭＨｚ〜３０ＧＨｚ）の１／２波長に相当する長さとなっている。つまり、ＩＣチップ２２を中心とする２つの領域に放射部３１Ｂ，３１Ｂを区分した場合、それぞれの長手方向における長さは、１／４波長に相当する長さとなっている。例えば、第２アンテナ３１は、長手方向の長さが６５ｍｍ程度に設定され、短手方向の長さが１２ｍｍ程度に設定される。
【００２６】
第２アンテナ３１を構成する材料としては、第１アンテナ２３を構成する材料と同様のものが用いられるが、導電性を有した異なる材質でもよい。
第２アンテナ３１の厚みは、特に限定されないが、１８μｍ〜３２μｍであることが好ましい。
【００２７】
このように構成されたインレット２０とアンテナ部３０は、高誘電材４０に支持されて、インレット２０の第１アンテナ２３とアンテナ部３０の第２アンテナ３１が高誘電材４０の一方の面４０ａ上において、同一面上に配置されている。
【００２８】
高誘電材４０は、誘電材からなり、インレット２０とアンテナ部３０を紙面の下側から支持する。図１に示す高誘電材４０は、平面視形状が長方形状の板状の部材であり、平面視形状がアンテナ部３０とほぼ同一の形状をなしている。
高誘電材４０を構成する誘電材としては、比誘電率が基材２１の比誘電率以上の４．８〜１２の材料であることが好ましく、８〜１２の材料であることがより好ましい。また、高誘電材４０の比誘電率は、非接触型データ受送信体１０に要求される通信特性（通信距離、共振周波数帯域）等に応じて適宜調整される。
このような誘電材としては、例えば、ポリフェニレンサルファイド系樹脂にチタン酸カリウム繊維を含んだポリプラスチックス社製のＦＲＥＱＴＩＳ（登録商標）  Ｐ１２３１Ａ等が挙げられる。
【００２９】
高誘電材４０の厚みは、特に限定されず、非接触型データ受送信体１０に要求される通信特性（通信距離）等に応じて適宜調整される。高誘電材４０の厚みは、例えば、１ｍｍ〜３ｍｍであることが好ましい。
【００３０】
金属材５０は、金属からなり、高誘電材４０におけるインレット２０およびアンテナ部３０を支持する一方の面４０ａとは反対側の面（以下、「他方の面」と言う。）４０ｂに積層されている。図１に示す金属材５０は、平面視形状が長方形状の部材であり、平面視形状が高誘電材４０とほぼ同一の形状をなしている。すなわち、金属材５０は、金属板であっても、金属箔であってもよい。
金属材５０を構成する金属としては、特に限定されないが、アルミニウム、銅、金、銀、ステンレス、銀パラジウム、半田等が挙げられる。
【００３１】
金属材５０の厚みは、特に限定されないが、１８μｍ〜３２ｍｍであることが好ましい。
【００３２】
被覆材７０は、樹脂からなる。図１に示す被覆材７０は、インレット２０、アンテナ部３０、高誘電材４０および金属材５０からなる積層体６０の外形に沿う形状をなしている。
被覆材７０を構成する樹脂としては、例えば、ポリカーボネート、ポリオレフィン樹脂、アクリル系樹脂等が挙げられる。
【００３３】
被覆材７０の厚みは、特に限定されないが、５０μｍ〜５ｍｍであることが好ましい。
【００３４】
本実施形態の非接触型データ受送信体１０は、被貼付体である金属体１００に貼付されて用いられる。非接触型データ受送信体１０は、ねじ止めや、粘着材を介した粘着等により、金属体１００に貼付される。
【００３５】
本実施形態の非接触型データ受送信体１０によれば、第１アンテナ２３を有するインレット２０と、第１アンテナと非接触で電磁結合するブースター用の第２アンテナ３１を有するアンテナ部３０と、インレット２０およびアンテナ部３０を支持する高誘電材４０と、高誘電材４０の他方の面４０ｂに積層された金属材と、を備え、第１アンテナ２３と第２アンテナ３１が高誘電材４０の一方の面４０ａ上において、同一面上に配置されているため、厚みを小さく、すなわち、小型化しても、金属体１００に接触した状態で通信特性に優れている。
【００３６】
なお、本実施形態では、ＩＣチップ２２および第１アンテナ２３が基材２１上に設けられ、第２アンテナ３１が基材２１上に設けられた場合を例示したが、本発明の非接触型データ受送信体はこれに限定されない。本発明の非接触型データ受送信体にあっては、ＩＣチップ、第１アンテナおよび第２アンテナが高誘電材の一方の面に直接設けられていてもよい。
【実施例】
【００３７】
以下、実験例により本発明をさらに具体的に説明するが、本発明は以下の実験例に限定されるものではない。
【００３８】
［実験例１］
本出願の発明者は、前述した実施形態に係る非接触型データ受送信体を実験例として作製し、その特性を求めた。具体的に、本出願の発明者は、ＩＣチップおよび第１アンテナを有するインレットと、基材（厚みが１．６ｍｍ）および第２アンテナ（長手方向の長さが６５ｍｍ、短手方向の長さが１２ｍｍ）を有するアンテナ部と、高誘電材（長手方向の長さが６５ｍｍ、短手方向の長さが１２ｍｍ、厚みが２ｍｍ）と、金属材（長手方向の長さが６５ｍｍ、短手方向の長さが１２ｍｍ、厚みが０．１ｍｍ）とを有する、図１に示すような非接触型データ受送信体を作製した。
インレットの基材およびアンテナ部の基材としては、パナソニック社製のＦＲ−４（商品名：Ｒ−１７００）を用いた。
高誘電材としては、ポリプラスチックス社製のＦＲＥＱＴＩＳ（登録商標）  Ｐ１２３１Ａ（商品名、比誘電率ε＝１２）、ポリプラスチックス社製のＦＲＥＱＴＩＳ（登録商標）  Ｐ０８８３Ａ（商品名、比誘電率ε＝８）、アクリル板（比誘電率ε＝３．３）を用いた。
【００３９】
高誘電材の比誘電率が異なる３つの非接触型データ受送信体を金属板上に配置し、情報読出／書込装置（商品名：Ｔａｇ  Ｆｏｒｍａｎｃｅｌｉｔｅ、Ｖｏｙａｎｔｉｃ社製）を用いて、電波暗箱内にて、それぞれの非接触型データ受送信体の通信距離を測定した。なお、通信距離を測定するに当たり、情報読出／書込装置の出力を一定とした。結果を図２に示す。
【００４０】
図２に示す結果から、比誘電率εが３．３の高誘電材を備えた非接触型データ受送信体では通信距離が約１．５ｍｍであったのに対して、比誘電率εが８の高誘電材を備えた非接触型データ受送信体では通信距離が約４．５ｍｍ、比誘電率εが１２の高誘電材を備えた非接触型データ受送信体では通信距離が約５ｍｍとなることが確認された。すなわち、高誘電材の比誘電率を高くすることにより、第１アンテナと第２アンテナの大きさを変えることなく、通信距離を伸ばせることが確認された。
【００４１】
［実験例２］
高誘電材としては、ポリプラスチックス社製のＦＲＥＱＴＩＳ（登録商標）  Ｐ１２３１Ａ（比誘電率ε＝１２）を用い、第１アンテナの幅を、８ｍｍ、１１ｍｍ、１５ｍｍとしたこと以外は実験例１と同様にして、図１に示すような非接触型データ受送信体を作製した。
【００４２】
第１アンテナの幅が異なる３つの非接触型データ受送信体を金属板上に配置し、情報読出／書込装置（商品名：Ｔａｇ  Ｆｏｒｍａｎｃｅｌｉｔｅ、Ｖｏｙａｎｔｉｃ社製）を用いて、電波暗箱内にて、それぞれの非接触型データ受送信体の通信距離を測定した。なお、通信距離を測定するに当たり、情報読出／書込装置の出力を一定とした。結果を図３に示す。
【００４３】
図３に示す結果から、第１アンテナの幅が広くなるに従って、非接触型データ受送信体の共振周波数が短波長側にシフトすることが確認された。
【符号の説明】
【００４４】
１０・・・非接触型データ受送信体、２０・・・インレット、２１・・・基材、２２・・・ＩＣチップ、２３・・・第１アンテナ、３０・・・アンテナ部、３１・・・第２アンテナ、４０・・・高誘電材、５０・・・金属材、６０・・・積層体、７０・・・被覆材、１００・・・金属体。
【図１】
2018055153.tif 000003
【図２】
2018055153.tif 000004
【図３】
2018055153.tif 000005